【手続補正書】
【提出日】平成22年4月27日(2010.4.27)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報の可変表示を行い表示結果を導出表示する演出表示装置を備え、該演出表示装置に特定表示結果が導出表示されたときに遊技者にとって有利な特定遊技状態に移行させ、特別条件が成立したときに前記特定遊技状態に移行させるとともに該特定遊技状態が終了した後に遊技者にとって有利な前記特定遊技状態とは異なる特別遊技状態に移行させるものであり、
前記特定表示結果を導出表示させる際、
前記特別条件が成立していないときには前記特定表示結果として前記特別遊技状態に移行しないことを示す非特別表示結果を導出表示し、
前記特別条件が成立しかつ昇格条件が成立しているときには前記特別遊技状態に移行しないことを示す前記非特別表示結果を導出表示を導出表示した後、前記特定遊技状態中または前記特定遊技状態の終了後に前記特別遊技状態に移行することを示す移行後報知演出を実行し、
前記特別条件が成立しかつ前記昇格条件が成立していないときには前記特定表示結果として前記特別遊技状態に移行することを示す特別表示結果を導出表示する遊技機であって、
遊技者が操作することが可能な操作手段と、
前記特定遊技状態中に演出を実行する演出実行手段と、
前記操作手段の操作にもとづいて前記演出実行手段が実行する前記演出を複数の演出のうちから選択して決定する演出選択手段とを備え、
前記演出選択手段は、選択可能な前記演出として前記複数の演出をそれぞれ識別して表示するための複数の標識のうち少なくとも一部を表示し、表示された前記標識のうちから前記操作手段の操作にもとづいて前記標識を選択し、選択された前記標識に対応する前記演出を選択決定するものであり、
前記昇格条件が成立しているか否かに応じて、表示する標識の種類または数の少なくとも一方を変化させる
ことを特徴とする遊技機。
【請求項２】
演出選択手段は、昇格条件が成立するときに、表示される標識のうち少なくとも２つを同一種類とする
請求項１記載の遊技機。
【請求項３】
演出選択手段は、特別表示結果が導出表示されたときには、表示される標識のうち少なくとも２つを異なる種類とする
請求項１または請求項２記載の遊技機。
【請求項４】
特定遊技状態の開始前に当該特定遊技状態の終了後に特別遊技状態に移行するか否かを報知する移行前報知演出を実行可能な遊技機であって、
遊技制御手段が送信したコマンドにもとづいて、演出表示装置の表示状態を制御する演出制御手段を備え、
前記遊技制御手段は、
前記演出表示装置における表示結果の導出表示以前に、前記演出表示装置に導出表示される表示結果を特定表示結果とするか否かと、昇格条件を成立させるか否かと、移行後報知演出を実行するか否かとを決定する事前決定手段と、
前記事前決定手段による決定結果にもとづいて、前記演出表示装置における識別情報の可変表示を開始してから表示結果を導出表示するまでの可変表示時間を決定する可変時間決定手段と、
前記事前決定手段による決定結果にもとづいて、前記特定表示結果とするか否かと、前記昇格条件が成立するか否かと、前記移行後報知演出を実行するか否かとを特定可能なコマンドを送信するコマンド送信手段とを含み、
前記コマンド送信手段は、識別情報の可変表示を開始するときに、前記可変時間決定手段が決定した前記可変表示時間と前記移行前報知演出を実行するか否かとを特定可能な可変表示パターンコマンドを送信し、
前記特定遊技状態中に演出を実行する演出実行手段と、操作手段の操作にもとづいて前記演出実行手段が実行する演出を複数の演出のうちから選択して決定する演出選択手段とは、前記演出制御手段に含まれ、
前記演出制御手段は、
前記コマンド送信手段が送信した前記可変表示パターンコマンドにもとづいて、前記移行前報知演出を所定の演出装置を用いて実行する移行前報知演出実行手段を含み、
前記移行前報知演出実行手段は、前記コマンド送信手段により前記移行後報知演出を実行することを示すコマンドが送信されているときには、前記特別遊技状態に移行する旨の報知を行わない演出を実行する
請求項１から請求項３のうちのいずれかに記載の遊技機。
【請求項５】
特定遊技状態の開始前に当該特定遊技状態の終了後に特別遊技状態に移行するか否かを報知する移行前報知演出を実行可能な遊技機であって、
遊技制御手段が送信したコマンドにもとづいて、演出表示装置の表示状態を制御する演出制御手段を備え、
前記遊技制御手段は、
前記演出表示装置における表示結果の導出表示以前に、前記演出表示装置に導出表示される表示結果を特定表示結果とするか否かと、昇格条件を成立させるか否かと、移行後報知演出を実行するか否かとを決定する事前決定手段と、
前記事前決定手段による決定結果にもとづいて、前記演出表示装置における識別情報の可変表示を開始してから表示結果を導出表示するまでの可変表示時間を決定する可変時間決定手段と、
前記事前決定手段による決定結果にもとづいて、前記特定表示結果とするか否かと、特別条件が成立するか否かと、前記移行後報知演出を実行するか否かとを特定可能なコマンドを送信するコマンド送信手段とを含み、
前記コマンド送信手段は、
識別情報の可変表示を開始するときに、前記可変時間決定手段が決定した前記可変表示時間と、前記移行前報知演出を実行するか否かと、前記移行後報知演出を実行するか否かとを特定可能な可変表示パターンコマンドを送信し、
前記特定遊技状態に移行後の所定のタイミングになったときに、前記移行後報知演出の実行の開始を示す報知演出開始コマンドを送信し、
前記特定遊技状態中に演出を実行する演出実行手段と、操作手段の操作にもとづいて前記演出実行手段が実行する演出を複数の演出のうちから選択して決定する演出選択手段とは、前記演出制御手段に含まれ、
前記演出制御手段は、
前記コマンド送信手段が送信した前記可変表示パターンコマンドにもとづいて、前記移行前報知演出を所定の演出装置を用いて実行する移行前報知演出実行手段を含み、
前記移行前報知演出実行手段は、前記コマンド送信手段により前記移行後報知演出を実行することを示す前記可変表示パターンコマンドが送信されているときには、前記特別遊技状態に移行する旨の報知を行わない演出を実行する
請求項１から請求項４のうちのいずれかに記載の遊技機。
【請求項６】
移行後報知演出の実行タイミングを複数あるタイミングから選択決定する実行タイミング決定手段を備え、
演出実行手段は、前記実行タイミング決定手段の決定にもとづき前記移行後報知演出を実行するものであり、
前記移行後報知演出を実行すると決定されたときのみ前記移行後報知演出の実行タイミングを記憶する実行タイミング記憶手段を含み、
前記実行タイミング決定手段は、前記実行タイミング記憶手段に記憶されている前記移行後報知演出の実行タイミングにもとづいて、前記移行後報知演出の実行タイミングを決定する
請求項１から請求項５のうちのいずれかに記載の遊技機。
【手続補正２】
【補正対象書類名】明細書
【補正対象項目名】００１０
【補正方法】変更
【補正の内容】
【００１０】
本発明による遊技機は、各々を識別可能な複数種類の識別情報の可変表示を行い表示結果を導出表示する演出表示装置（例えば、可変表示装置９）を備え、演出表示装置に特定表示結果（例えば、大当り図柄）が導出表示されたときに遊技者にとって有利な特定遊技状態（例えば、大当り遊技状態）に移行させ、特別条件（例えば、確変状態に移行させる条件）が成立したときに特定遊技状態に移行させるとともに該特定遊技状態が終了した後に遊技者にとって有利な特定遊技状態とは異なる特別遊技状態（例えば、確変状態）に移行させるものであり、特定表示結果を導出表示させる際、特別条件が成立していないときには特定表示結果として特別遊技状態に移行しないことを示す非特別表示結果（例えば、非確変図柄）を導出表示し、特別条件が成立しかつ昇格条件（例えば、確変大当りを想起させない非確変図柄が表示されたにも関わらず、確変大当りとすることに事前決定されていたので、遊技者に確変状態に移行することを報知するための条件。具体的には、第１再抽選演出や第２再抽選演出で確変状態に移行することを報知することになる条件）が成立しているときには特別遊技状態に移行しないことを示す非特別表示結果を導出表示を導出表示した後、特定遊技状態中または特定遊技状態の終了後に特別遊技状態に移行することを示す報知演出（例えば、第２再抽選演出）を実行し、特別条件が成立しかつ昇格条件が成立していないときには特定表示結果として特別遊技状態に移行することを示す特別表示結果（例えば、確変図柄）を導出表示する遊技機であって、遊技者が操作することが可能な操作手段（例えば、操作ボタン１２０）と、特定遊技状態中に演出を実行する演出実行手段（例えば、演出制御用マイクロコンピュータ１００）と、操作手段の操作にもとづいて演出実行手段が実行する演出を複数の演出のうちから選択して決定する演出選択手段（例えば、演出制御用マイクロコンピュータ１００において、ステップＳ９４４の処理を実行する部分）とを備え、演出選択手段は、選択可能な演出として複数の演出をそれぞれ識別して表示するための複数の標識（例えば、図４５に示すメニューにおける選択肢）のうち少なくとも一部を表示し（図４４および図４５参照）、表示された標識のうちから操作手段の操作にもとづいて標識を選択し、選択された標識に対応する演出を選択決定するものであり、昇格条件が成立しているか否かに応じて、表示する標識の種類または数の少なくとも一方を変化させる（図４６参照）ことを特徴とする。
【手続補正３】
【補正対象書類名】明細書
【補正対象項目名】００１１
【補正方法】変更
【補正の内容】
【００１１】
演出選択手段は、昇格条件が成立するときに、表示される標識のうち少なくとも２つを同一種類とする（例えば、図４５に示すメニューＣ）ように構成されていてもよい。
【手続補正４】
【補正対象書類名】明細書
【補正対象項目名】００１２
【補正方法】変更
【補正の内容】
【００１２】
演出選択手段は、特別表示結果が導出表示されたときには、表示される標識のうち少なくとも２つを異なる種類とする（例えば、図４５に示すメニューＡ）ように構成されていてもよい。
【手続補正５】
【補正対象書類名】明細書
【補正対象項目名】００１６
【補正方法】変更
【補正の内容】
【００１６】
請求項１記載の発明では、演出選択手段が、選択可能な演出として複数の演出をそれぞれ識別して表示するための複数の標識のうち少なくとも一部を表示し、表示された標識のうちから操作手段の操作にもとづいて標識を選択し、選択された標識に対応する演出を選択決定するものであり、昇格条件が成立しているか否かに応じて、表示する標識の種類または数の少なくとも一方を変化させるように構成されているので、標識数、または標識で特定される報知演出の種類の数の変化に応じて、昇格条件すなわち特別遊技状態に移行させることに決定されていることの報知を行う条件が成立しているか否かを遊技者が予測可能になり、遊技の興趣を向上させることができる。
【手続補正６】
【補正対象書類名】明細書
【補正対象項目名】００１７
【補正方法】変更
【補正の内容】
【００１７】
請求項２記載の発明では、演出選択手段が、昇格条件が成立するときに、表示される標識のうち少なくとも２つを同一種類とするように構成されているので、昇格条件が成立しているか否かを遊技者が予測可能になり、遊技の興趣を向上させることができる。
【手続補正７】
【補正対象書類名】明細書
【補正対象項目名】００１８
【補正方法】変更
【補正の内容】
【００１８】
請求項３記載の発明では、演出選択手段が、特別表示結果が導出表示されたときには、表示される標識のうち少なくとも２つを異なる種類とするように構成されているので、特別遊技状態に移行することを示す特別表示結果が導出表示された後では相対的に標識数が多いものを遊技者に提示することによって、遊技の興趣を低下させないようにすることができる。